(57)【要約】      （修正有）【課題】特に持ち運びやすく、電力消費を抑えることができる照明装置を提供する。【解決手段】本考案に係る照明装置（ライト）１０は、照明カバー１１と、枠部材１２と、線状発光体１３を有し、そのうち、照明カバーは、内部に収容空間１４が形成され、袋体１１１と、入口１１２と、紐１１３と、ファスナー１１４を備え、該入口は、収容空間と連通するように袋体の上部に形成され、該紐は、入口の周囲且つ袋体の内部に巻回され、該ファスナーは、調整可能に紐に取り付けられ、該枠部材は、照明カバーが袋状に張るように、該照明カバーの内部に配置され、該線状発光体は、枠部材の内部に位置するように、照明カバーに配置され、該線状発光体の一端に、外部の電源と電気接続する電源端子１３１が設けられ、これによれば、ライトがモバイルバッテリーと電気接続して使用すれば、何処でも使用することができるので、使用上の利便性が非常に高い。【選択図】図２
0003215050.tif 000002
【実用新案登録請求の範囲】
【請求項１】
照明カバーと、枠部材と、線状発光体を有し、
照明カバーは、内部に収容空間が形成され、袋体と、入口と、紐と、ファスナーを備え、該入口は、収容空間と連通するように袋体の上部に形成され、該紐は、入口の周囲且つ袋体の内部に巻回され、該ファスナーは、調整可能に紐に取り付けられ、
前記枠部材は、照明カバーが袋状に張るように、該照明カバーの内部に配置され、
前記線状発光体は、枠部材の内部に位置するように、照明カバーに配置され、該線状発光体の一端に、外部の電源と電気接続する電源端子が設けられることを特徴とする、
照明装置。
【請求項２】
前記照明カバーが、透光性を備える布素材からなることを特徴とする請求項１に記載の照明装置。
【請求項３】
前記外部の電源がモバイルバッテリーであることを特徴とする請求項１に記載の照明装置。
【請求項４】
前記電源端子が変圧器を介して外部の電源と電気接続されることを特徴とする請求項１に記載の照明装置。
【請求項５】
前記枠部材は、金属線を連続巻回して構成されるものであることを特徴とする請求項１項に記載の照明装置。
【請求項６】
前記線状発光体を包むための透光紙を備えることを特徴とする請求項１に記載の照明装置。
【請求項７】
前記照明カバーが収納袋であることを特徴とする請求項１に記載の照明装置。
【請求項８】
前記線状発光体が発光ダイオード（ＬＥＤ）からなることを特徴とする請求項１に記載の照明装置。
【考案の詳細な説明】
【技術分野】
【０００１】
本考案は、特に持ち運びやすく、電力消費を抑えることができる照明装置に関するものである。
【背景技術】
【０００２】
現代社会においては、多くの人々が健康のために野外活動に参加し、例えば、キャンプや登山などのレジャーレクリエーションが楽しみの一つとなっている。それらキャンプや登山は、野外に宿泊する場合もあるが、野外では電源がない場合もあるので、電気をつけることができないという問題があった。
【考案の概要】
【考案が解決しようとする課題】
【０００３】
キャンプの経験者は、発電機を持参することによりライトをつけることができるが、発電機の持ち運びは非常に不便であったり、延長コードが届かないと、電力を提供することができず、ライトなどの電気製品を使用することができなかった。
【０００４】
また、キャンプライトは、発電機に接続すればキャンプ場で使用することができるが、発電機と電気接続する延長コードの長さは決まっていることから、キャンプライトの使用範囲は、延長コードの長さに制限されるので、使用上非常に不便であった。
上述した問題を解決するため、既存のキャンプライトを改良する必要があった。
【課題を解決するための手段】
【０００５】
本考案に係る照明装置は、持ち運びやすくて長時間使用でき、キャンプだけではなく登山や非常事態にも使用できる照明装置を提供する。
【０００６】
本考案に係る照明装置は、照明カバーと、枠部材と、線状発光体を有し、そのうち、照明カバーは、内部に収容空間が形成され、袋体と、入口と、紐と、ファスナーを備え、該入口は、収容空間と連通するように袋体の上部に形成され、該紐は、入口の周囲且つ袋体の内部に巻回され、該ファスナーは、調整可能に紐に取り付けられ、前記枠部材は、照明カバーが袋状に張るように、該照明カバーの内部に配置され、前記線状発光体は、枠部材の内部に位置するように、照明カバーに配置され、該線状発光体の一端に、外部の電源と電気接続する電源端子が設けられるものである。
【０００７】
かかる照明装置において、前記照明カバーが、透光性を備える布素材からなることが好ましい。
【０００８】
かかる照明装置において、前記外部の電源がモバイルバッテリーであることが好ましい。
【０００９】
かかる照明装置において、前記電源端子が変圧器を介して外部の電源と電気接続されることが好ましい。
【００１０】
かかる照明装置において、前記枠部材は、金属線を連続巻回して構成されるものであることが好ましい。
【００１１】
かかる照明装置において、前記線状発光体を包むための透光紙を備えることが好ましい。
【００１２】
かかる照明装置において、前記照明カバーが収納袋であることが好ましい。
【００１３】
かかる照明装置において、前記線状発光体が発光ダイオード（ＬＥＤ）からなることが好ましい。
【考案の効果】
【００１４】
本考案に係るライトは、発光ダイオードからなることから、線状発光体の電力消費を抑えることができ、且つモバイルバッテリーと電気接続して使用すれば、何処でも使用できるので、使用上の利便性が高い。
【図面の簡単な説明】
【００１５】
【図１】本考案に係る照明装置の説明図である。
【図２】本考案に係る照明装置の分解斜視図である。
【図３】本考案に係る照明装置において、変圧器と接続した状態を示す説明図である。
【図４】本考案に係る照明装置において、モバイルバッテリーと電気接続した状態を示す説明図である。
【図５】本考案に係る照明装置において、透光紙が線状発光体を包んだ状態を示す分解説明図である。
【考案を実施するための形態】
【００１６】
図１及び図２に示すように、本考案に係るライト１０は、照明カバー１１と、枠部材１２と、線状発光体１３を有する。
【００１７】
図３及び図４に示すように、前記照明カバー１１は、透光性を備える布素材、例えば、ナイロンからなり、前記枠部材１２は、金属線を巻回して構成されるものであり、照明カバー１１の内部に配置され、これによれば、照明カバー１１を袋状に張って内部に収容空間１４を構成できる。
前記線状発光体１３は、可撓性を備える、発光ダイオード（ＬＥＤ）からなるチューブライトやテープライトであり、枠部材１２の内部に位置するように、照明カバー１１の収容空間１４に配置される。該線状発光体１３の一端に電源端子１３１が設けられ、該電源端子１３１を介して外部の電源と電気接続することができ、或いは、該電源端子１３１を変圧器２０と接続することにより、外部の電源と電気接続できる。尚、外部の電源は、電源コンセントであってもよく、電源サイトであってもよく、モバイルバッテリー３０であってもよい。その内、モバイルバッテリー３０は、小体積化及び軽量化のメリットを備えることから、本考案に係るライト１０を接続すれば、何処でも利用することができる。
【００１８】
図５に示すように、本考案に係るライト１０を用いて異なる色の光を発光させる場合は、色付きの透光紙４０により線状発光体１３を包めば、光を透光紙４０の色に変更することができるので、使用者の好みに応じて、色付きの透光紙４０を選んで線状発光体１３からの光を好みの色に変化させることができる。
また、他の実施例においては、赤い光や青い光など、色彩を有する線状発光体１３を設置してライト１０により異なる色を発光させる。
【００１９】
前記照明カバー１１は収納袋であり、袋体１１１と、入口１１２と、紐１１３と、ファスナー１１４を備える。該袋体１１１の上部に、収容空間１４と連通する入り口１１２が開口され、該紐１１３は、入口１１２の周囲且つ袋体１１１の内部に螺旋状に巻回され、該ファスナー１１４は、調整可能に紐１１３に取り付けられ、該紐１１３を締め付けたり、紐１１３を緩めたりして、入り口１１２の開閉状態を調整する。
【００２０】
前記ファスナー１１４を紐１１３に沿って入口１１２から離れるように移動させると、入口１１２が開き、線状発光体１３を照明カバー１１に入れたり取り外したりすることができる。一方、前記ファスナー１１４を紐１１３に沿って入口１１２へ接近するように移動させると、入口１１２が閉まり、線状発光体１３を照明カバー１１の内部に配置させて、電源端子１３１のみ照明カバー１１から伸ばして外部電源と電気接続されることができる。
また、本考案に係るライト１０を収納する場合、線状発光体１３及び電源端子１３１を照明カバー１１に入れてファスナー１１４により入口１１２を閉めると、ライト１０の収納が完了する。
【００２１】
本考案に係るライト１０は、発光ダイオードからなることから、線状発光体１３の電力消費を抑えることができ、また、モバイルバッテリー３０と電気接続して使用すれば、何処でも使用することができるので、使用上の利便性が非常に高い。
【符号の説明】
【００２２】
１０  ライト
１１  照明カバー
１１１  袋体
１１２  入口
１１３  紐
１１４  ファスナー
１２  枠部材
１３  線状発光体
１３１  電源端子
１４  収容空間
２０  変圧器
３０  モバイルバッテリー
４０  透光紙
【図１】
0003215050.tif 000003
【図２】
0003215050.tif 000004
【図３】
0003215050.tif 000005
【図４】
0003215050.tif 000006
【図５】
0003215050.tif 000007